(57)【要約】      （修正有）【課題】接着剤による固定を回避し、環境により優しい固定が実現され、組立効率がより高く便利であり、長期間の使用による接着剤の劣化に起因する接続の緩みがなく、モータ回転数の検出精度を確保することができる、磁気誘導部品がモータに係合されて固定されたリハビリバイクを提供する。【解決手段】モータ８１のモータシャフト８１１に２つの係合溝が設けられ、前記係合溝に磁気誘導部品９０が係合されて固定され、前記磁気誘導部品の下側に磁気誘導回路基板７０が設けられ、磁気誘導回路基板上に磁気誘導デバイス７１が設けられ、前記バイク本体内に主回路基板と電源がさらに設けられ、前記磁気誘導回路基板は主回路基板に電気的に接続され、主回路基板は電源に電気的に接続される。【選択図】図３
0003232953.tif 000002
【実用新案登録請求の範囲】
【請求項１】
バイク本体と台座を含み、前記バイク本体と台座はネジで固定的に接続され、前記バイク本体の両側に回転アームが設けられ、各回転アームの外側に接続軸を介してペダルが固定的に接続され、前記バイク本体内にモータが設けられ、前記回転アームはモータに接続され、
前記モータのモータシャフトに２つの係合溝が設けられ、前記係合溝上に磁気誘導部品が係合されて固定され、前記磁気誘導部品の下側に磁気誘導回路基板が設けられ、磁気誘導回路基板に磁気誘導デバイスが設けられ、前記バイク本体内に主回路基板と電源がさらに設けられ、前記磁気誘導回路基板は主回路基板に電気的に接続され、主回路基板は電源に電気的に接続される、ことを特徴とする磁気誘導部品がモータに係合されて固定されたリハビリバイク。
【請求項２】
前記磁気誘導部品内に複数の磁石が固定され、前記磁気誘導デバイスの位置は磁石の位置と対応する、ことを特徴とする請求項１に記載の磁気誘導部品がモータに係合されて固定されたリハビリバイク。
【請求項３】
前記磁気誘導部品の中央に係合穴が開設され、前記係合穴内に第１係合ブロックが設けられ、前記第１係合ブロックはモータシャフト上の係合溝内に係合されて固定される、ことを特徴とする請求項１に記載の磁気誘導部品がモータに係合されて固定されたリハビリバイク。
【請求項４】
前記磁気誘導部品は上部カバーと下部カバーを含み、前記上部カバーと下部カバーは係合されて固定される、ことを特徴とする請求項２に記載の磁気誘導部品がモータに係合されて固定されたリハビリバイク。
【請求項５】
前記下部カバー内に複数の下部固定溝が設けられ、前記上部カバー内に複数の位置決め溝が設けられ、前記磁石は位置決め溝と固定溝の間に固定される、ことを特徴とする請求項４に記載の磁気誘導部品がモータに係合されて固定されたリハビリバイク。
【請求項６】
前記上部カバーの内側に第２係合ブロックが設けられ、前記下部カバーの内側に係合口が設けられ、第２係合ブロックの位置は係合口の位置と対応し、第２係合ブロックは係合口内に係合されて固定される、ことを特徴とする請求項４に記載の磁気誘導部品がモータに係合されて固定されたリハビリバイク。
【請求項７】
前記バイク本体内に、固定ラックがさらに設けられ、前記モータは固定ラックに固定される、ことを特徴とする請求項１に記載の磁気誘導部品がモータに係合されて固定されたリハビリバイク。
【請求項８】
前記固定ラックは底部ラックとＵ字形のラックを含み、Ｕ字形のラックは底部ラックの上部に固定され、底部ラックはバイク本体内部に固定される、ことを特徴とする請求項７に記載の磁気誘導部品がモータに係合されて固定されたリハビリバイク。
【請求項９】
前記底部ラックとバイク本体の間に複数のゴム部品が設けられる、ことを特徴とする請求項８に記載の磁気誘導部品がモータに係合されて固定されたリハビリバイク。
【請求項１０】
前記モータはＵ字形のラックのＵ字形の溝内に固定され、前記磁気誘導回路基板はＵ字形のラックの外側に固定される、ことを特徴とする請求項８に記載の磁気誘導部品がモータに係合されて固定されたリハビリバイク。
【考案の詳細な説明】
【技術分野】
【０００１】
本考案は、リハビリバイクの技術分野に関し、特に磁気誘導部品がモータに係合されて固定されたリハビリバイクに関する。
【背景技術】
【０００２】
現在、中高年者は手足の不便に悩まされており、患者が完全に自分の世話をすることができず、生活に大きな不便をもたらしている。手足の柔軟性がない患者の手足を鍛えることができれば、手足はある程度徐々に改善され得る。したがって、手足を効果的に運動させることができるリハビリバイクが市場に出回っている。
【０００３】
リハビリバイクのモータには、磁気誘導構造が設けられてモータの回転数を感知するのは一般的であるが、従来技術は、一般に接着剤を使用して磁気誘導構造をモータに固定し、効率が低く、長期間使用すると接続箇所が緩みやすいため感知されたモータの回転数が不正確になる。
【考案の概要】
【０００４】
上記の問題を克服するために、本考案は、上記の問題を効果的に解決することができる磁気誘導部品がモータに係合されて固定されたリハビリバイクを提供する。
【０００５】
上記の技術的問題を解決するために本考案が提供する技術的解決策は、バイク本体と台座を含み、前記バイク本体と台座はネジで固定的に接続された、磁気誘導部品がモータに係合されて固定されたリハビリバイクを提供することであり、前記バイク本体の両側に回転アームが設けられ、各回転アームの外側に接続軸を介してペダルが固定的に接続され、前記バイク本体内にモータが設けられ、前記回転アームはモータに接続され、前記モータのモータシャフトに２つの係合溝が設けられ、前記係合溝に磁気誘導部品が係合されて固定され、前記磁気誘導部品の下側に磁気誘導回路基板が設けられ、磁気誘導回路基板に磁気誘導デバイスが設けられ、前記バイク本体内に主回路基板と電源がさらに設けられ、前記磁気誘導回路基板は主回路基板に電気的に接続され、主回路基板は電源に電気的に接続される。
【０００６】
好ましくは、前記磁気誘導部品内に複数の磁石が固定され、前記磁気誘導デバイスの位置は磁石の位置と対応する。
【０００７】
好ましくは、前記磁気誘導部品の中央に係合穴が開設され、前記係合穴内に第１係合ブロックが設けられ、前記第１係合ブロックはモータシャフトの係合溝内に係合されて固定される。
【０００８】
好ましくは、前記磁気誘導部品は、上部カバーと下部カバーを含み、前記上部カバーと下部カバーは係合されて固定される。
【０００９】
好ましくは、前記下部カバー内に複数の下部固定溝が設けられ、前記上部カバー内に複数の位置決め溝が設けられ、前記磁石は位置決め溝と固定溝の間に固定される。
【００１０】
好ましくは、前記上部カバーの内側に第２係合ブロックが設けられ、前記下部カバーの内側に係合口が設けられ、第２係合ブロックの位置は係合口の位置と対応し、第２係合ブロックは係合口内に係合されて固定される。
【００１１】
好ましくは、前記バイク本体内に固定ラックがさらに設けられ、前記モータは固定ラックに固定される。
【００１２】
好ましくは、前記固定ラックは底部ラックとＵ字形のラックを含み、Ｕ字形のラックは底部ラックの上部に固定され、底部ラックはバイク本体内部に固定される。
【００１３】
好ましくは、前記底部ラックとバイク本体の間に複数のゴム部品が設けられる。
【００１４】
好ましくは、前記モータはＵ字形のラックのＵ字形の溝内に固定され、前記磁気誘導回路基板はＵ字形のラックの外側に固定される。
【考案の効果】
【００１５】
従来技術と比較すると、本考案の磁気誘導部品がモータに係合されて固定されたリハビリバイクは、磁気誘導部品がモータシャフトに係合されて固定されることで、接着剤による固定を回避し、環境により優しい固定が実現され、組立効率がより高く便利であり、長期間の使用による接着剤の劣化に起因する接続の緩みがなく、モータ回転数の検出精度を確保することができ、磁石が位置決め溝と固定溝の間に固定されることで、接着剤による固定を回避し、環境により優しく、磁石の組立効率を高める。
【図面の簡単な説明】
【００１６】
【図１】本考案の磁気誘導部品がモータに係合されて固定されたリハビリバイクの全体構造図である。
【図２】本考案の磁気誘導部品がモータに係合されて固定されたリハビリバイクの内部構造図である。
【図３】本考案の磁気誘導部品がモータに係合されて固定されたリハビリバイクの固定ラックとモータの構造図である。
【図４】本考案の磁気誘導部品がモータに係合されて固定されたリハビリバイクのモータの分解構造図である。
【図５】本考案の磁気誘導部品がモータに係合されて固定されたリハビリバイクの磁気誘導部品の斜視図である。
【図６】本考案の磁気誘導部品がモータに係合されて固定されたリハビリバイクの下部カバーの構造図である。
【図７】本考案の磁気誘導部品がモータに係合されて固定されたリハビリバイクの上部カバーの構造図。
【考案を実施するための形態】
【００１７】
本考案の目的、技術的解決策、および利点をより明確にするために、以下では、添付の図面および実施例を参照して、本考案をさらに詳細に説明する。本明細書に記載の特定の実施例は、本考案を説明するためにのみ使用され、本考案を限定するものではないことを理解されたい。
【００１８】
本考案の実施例におけるすべての方向指示（上、下、左、右、前、後など）は、絶対位置ではなく、図面上の相対位置を特定することに限定されることに留意されたい。
【００１９】
また、本考案では、「第１」、「第２」等の説明は説明目的でのみ使用されており、それらの相対的な重要性を示したり暗示したり、示された技術的特徴の数を暗に示したりするものとは理解できない。したがって、「第１」および「第２」で定義された機能には、明示的または暗黙的に機能の少なくとも１つが含まれる場合がある。本考案の説明には、「複数」とは、特に明記しない限り、少なくとも２つ、例えば２つ、３つなどを意味する。
【００２０】
図１〜図７を参照すると、本考案の磁気誘導部品がモータに係合されて固定されたリハビリバイクは、バイク本体１０と台座３０を含み、前記バイク本体１０と台座３０はネジで固定的に接続される。前記バイク本体１０の両側に回転アーム４０が設けられ、各回転アーム４０の外側に接続軸を介してペダル２０が固定的に接続され、ユーザはペダル２０を足で踏むことでバイクに乗ることができる。前記バイク本体１０内にモータ８１が設けられ、前記回転アーム４０はモータ８１に接続される。
【００２１】
前記モータ８１のモータシャフト８１１上に２つの係合溝８１２が設けられ、前記係合溝８１２上に磁気誘導部品９０が係合されて固定される。前記磁気誘導部品９０の下側に磁気誘導回路基板７０が設けられ、磁気誘導回路基板７０上に磁気誘導デバイス７１が設けられ、磁気誘導デバイス７１は磁気誘導部品９０と併せてモータ８１の回転数を感知する。前記バイク本体１０内に主回路基板６０と電源５０がさらに設けられ、前記磁気誘導回路基板７０は主回路基板６０に電気的に接続され、主回路基板６０は電源５０に電気的に接続される。磁気誘導部品９０はモータシャフト８１１に係合されて固定されることで、接着剤による固定を回避し、環境により優しい固定が実現され、組立効率がより高く便利であり、長期間の使用による接着剤の劣化に起因する接続の緩みがなく、モータ回転数の検出精度を確保することができる。前記磁気誘導部品９０内に複数の磁石９１２が固定され、前記磁気誘導デバイス７１の位置は磁石９１２の位置と対応し、磁石９１２は磁気誘導デバイス７１と併せてモータ８１の回転数を感知する。
【００２２】
前記磁気誘導部品９０の中央に係合穴９３が開設され、前記係合穴９３内に第１係合ブロック９４が設けられ、前記第１係合ブロック９４はモータシャフト８１１上の係合溝８１２内に係合されて固定される。前記磁気誘導部品９０は上部カバー９２と下部カバー９１を含み、前記上部カバー９２と下部カバー９１は係合されて固定され、組立が便利である。前記下部カバー９１内に複数の下部固定溝９１１が設けられ、前記上部カバー９２内に複数の位置決め溝９２１が設けられ、前記固定溝９１１の数は位置決め溝９２１の数と同じであり、前記固定溝９１１の位置はそれぞれ位置決め溝９２１の位置と１対１に対応し、前記磁石９１２は位置決め溝９２１と固定溝９１１の間に固定されることで、接着剤による固定を回避し、環境により優しく、磁石９１２の組立効率を高める。前記下部カバー９１の中央に下部係合穴９１４が設けられ、前記上部カバー９２の中央に上部係合穴９２４が設けられ、前記下部係合穴９１４の位置は上部係合穴９２４の位置と対応し、下部係合穴９１４と上部係合穴９２４によって係合穴９３が形成され得る。前記上部カバー９２の内側に第２係合ブロック９２３が設けられ、前記下部カバー９１の内側に係合口９１３が設けられ、第２係合ブロック９２３の位置は係合口９１３の位置と対応し、第２係合ブロック９２３は係合口９１３内に係合されて固定され上部カバー９２と下部カバー９１の係合および固定を実現する。
【００２３】
前記バイク本体１０内に固定ラック８０がさらに設けられ、前記モータ８１は固定ラック８０に固定される。前記固定ラック８０は底部ラック８２とＵ字形のラック８３を含み、Ｕ字形のラック８３は底部ラック８２の上部に固定され、底部ラック８２はバイク本体１０の内部に固定される。前記モータ８１はＵ字形のラック８３のＵ字形の溝内に固定され、前記磁気誘導回路基板７０はＵ字形のラック８３の外側に固定される。前記底部ラック８２とバイク本体１０の間に複数のゴム部品８４が設けられ、振動や騒音を低減することができる。
【００２４】
従来技術と比較すると、本考案の磁気誘導部品がモータに係合されて固定されたリハビリバイクは、磁気誘導部品９０がモータシャフト８１１に係合されて固定されることで、接着剤による固定を回避し、環境により優しい固定が実現され、組立効率がより高く便利であり、長期間の使用による接着剤の劣化に起因する接続の緩みがなく、モータ回転数の検出精度を確保することができ、磁石９１２が位置決め溝９２１と固定溝９１１の間に固定され、接着剤による固定を回避し、環境により優しく、磁石９１２の組立効率を高める。
【００２５】
以上、本考案の好ましい実施例を説明したが、本実用新案登録請求の範囲を限定するものではなく、本考案の思想を逸脱することなくなされた任意の修正、同等置換および改善は、すべて本実用新案登録請求の保護範囲に含まれるべきである。
【図１】
0003232953.tif 000003
【図２】
0003232953.tif 000004
【図３】
0003232953.tif 000005
【図４】
0003232953.tif 000006
【図５】
0003232953.tif 000007
【図６】
0003232953.tif 000008
【図７】
0003232953.tif 000009